(57)【要約】  整列して配列される物品を含み、略管状構造状態であるカートンは、底部パネル（４）、頂部パネル（２）および側壁パネル（３，５）を含む。物品（Ｂ）が、最下列の物品が前記底部パネルに回転接触するように、カートン内で配置される。カートンは、少なくとも部分的にカートンの各端を閉める端壁を含む。カートンの端のうち１つは、端壁および隣接する側壁の部分から各々形成される少なくとも２つの切り取り可能部（１０，１１）をむ。切り取り可能部に並置した開口を含む端壁の１つによって、切り取り可能部を容易に取り除く。切り取り可能部を取り除くことによって、末端の物品のアクセスを容易にすると共に、１つの端壁の残りの部分が、残りの物品をカートンから意図せずに出てくることを実質的に防止する。
2008534395.tif 000002
【特許請求の範囲】
【請求項１】
複数列に配置された複数の物品を収容するカートンであって、
底部パネルと、
頂部パネルと、
一対の側壁パネルを含む略管状の構造を有し、前記物品がカートン内に配置されたとき最下列の物品が前記底部パネルに対してころがり接触する構成であり、少なくとも部分的にカートンの一端を閉塞する端壁と、
前記カートンの一端に形成される物品取り出し手段と、
を含み、
前記物品取り出し手段は、前記端壁および前記一対の側壁パネルから形成される複数の切り取り可能部を含み、
前記切り取り可能部をカートンから取り除くことにより前記端壁から複数の保持部が形成されるとともに前記端壁に隣接して配置される物品の取り出しが可能になり、
前記複数の保持部のうちの一方の保持部は、最下列の物品が不慮に前記カートンから抜け出さないよう前記底部パネルから上方へ延在し、
前記複数の保持部のうちの他方の保持部は、最上列の物品が不慮に前記カートンから抜け出さないよう頂部パネルから下方へ延在するカートン。
【請求項２】
前記物品取り出し手段は前記端壁の一部および前記一対の側壁パネルの一部から形成される少なくとも２つの切り取り可能部を有し、前記端壁は前記２つの切り取り可能部の取り除きが容易になるよう前記切り取り可能部に対して並置された開口を有する、請求項１に記載のカ−トン。
【請求項３】
前記切り取り可能部の各々が、前記開口から伸びて前記開口で終止する単一の脆弱線により形成される、請求項１または請求項２に記載のカートン。
【請求項４】
前記他方の保持部は、物品が意図的に取り出される間、前記端壁と同一平面内にある初期位置から外方へ動かされ、物品が意図的に取り出された後、前記初期位置に戻る、請求項３に記載のカートン。
【請求項５】
前記切り取り可能部が取り除かれたとき、前記端壁に隣接して配置された物品の端部が十分に露出し、なおかつそれら物品が意に反して前記カートンから抜け出さないよう、前記切り取り可能部の形状が設定されている、請求項１から請求項４のいずれか一項に記載のカートン。
【請求項６】
前記カートンが、２列の物品および２つの切り取り可能部を有する、請求項１から請求項５のいずれか一項に記載のカートン。
【請求項７】
複数列に配置された複数の物品を収容する略管状のカートンを形成するためのブランクであって、
前記ブランクは、
底部パネル、頂部パネルおよび一対の側壁パネルを含む一連のメインパネルと、
前記カートンが組み立てられたとき、カートンの両端部を少なくとも部分的に閉じる両端壁を形成する複数の端パネルと、
前記端壁のうち一方の端壁および前記一対の側壁パネルから形成される複数の切り取り可能部を持つ物品取り出し手段と、
を有し、
前記カートンが組み立てられたとき、前記切り取り可能部を取り除くことにより前記一方の端壁に隣接して配置される物品の取り出しが容易になり、前記切り取り可能部を取り除くことにより前記一方の端壁から複数の保持部が形成され、前記保持部のうちの一方の保持部は最下列の物品が不慮に前記カートンから抜け出さないよう前記底部パネルから上方へ延在し、前記保持部のうち他方の保持部は最上列の物品が不慮に前記カートンから抜け出さないよう前記頂部パネルから下方へ延在するブランク。
【請求項８】
前記物品取り出し手段は前記端壁の一部および前記一対の側壁パネルの一部から形成される少なくとも２つの切り取り可能部を有し、前記一方の端壁は前記２つの切り取り可能部の取り除きが容易になるよう前記切り取り可能部に対して並置された開口を有する請求項８に記載のブランク。
【請求項９】
前記切り取り可能部は、前記開口から伸びて前記開口で終止する単一の脆弱線により形成される、請求項９に記載のブランク。
【発明の詳細な説明】
【技術分野】
【０００１】
本発明は、カートンに関連し、具体的には、個々の物品の取り出しが制約される取り出し部を有する複数の物品を収容するカートンに関する。
【背景技術】
【０００２】
様々な物品を入れるカートンは、消費者が清涼飲料や他の飲料などの所望量の物品を個々に調達し、運搬を可能にするのに有用である。そのような物品が多数入った箱を入手した場合、消費者は１つずつ物品を取り出す必要がある場合が多い。このため、カートンから一度に１個の物品を容易に取り出せる取り出し機能を備えたカートンが望ましいのは当然のことである。
【０００３】
カートンに収容された物品が円筒形状であるかまたは略円筒形状であり、カートン内に横倒しで配置されている場合、そのうちの１つを取り出すときに残りの物品が取り出し部から転がり出ないように物品を拘束することが重要である。したがって、物品を取り扱う場合、物品が不慮にカートンから出ないように制約した上で、個々の物品を取り出し可能な取り出し部を備えたカートンを有することが望ましいのは当然のことである。取り出し部が物品を容易に取り扱える状況を提供することも重要である。瓶入りヨーグルトなどの乳製品を収容するカートンでは、カートン内に収容された製品を低温に維持するために、空気が箱内で循環可能とされるようにすることも望ましい。
【０００４】
そのようなカートンは、例えばエリスによる特許文献１によって知られている。特許文献１では、缶を収容する管状のカートンが開示されており、カートンには、カートンの上部壁、側部壁、および端壁の一部を構成する一体的な切り取り可能部が設けられている。端壁の残りの下側部分は、最下位の列の物品がカートンから自由に転がるのを防止するように作用する。しかし、カートンの上側の列内に保持された缶は、不慮にカートンから自由に転がることを防止できず、これは、消費者にとって極めて不便である場合がある。これは、カートンを冷蔵庫内に置いてコンパクトに収納し、取り出し用のカートンとして機能する必要がある場合に特に言える。
【特許文献１】米国特許第３，１７８，２４２号
【発明の開示】
【発明が解決しようとする課題】
【０００５】
本発明は、上記問題および先行技術の他の問題を回避するか或いは少なくとも軽減することを目的とする。
【課題を解決するための手段】
【０００６】
本発明の一態様は、整列して配列される物品を含み、略管状構造であるカートンであって、底部パネルと、頂部パネルと、側壁パネルとを含み、前記物品が、最下列の瓶が前記底部パネルに回転接触するように、カートン内で配置され、前記カートンが、少なくとも部分的にカートンの端を閉じるために設けた端壁を含み、前記カートンが、カートンの前記端で形成される物品取り出し手段を含み、前記物品取り出し手段が、端壁および隣接する側壁の切り取り可能部を含み、前記切り取り可能部を取り除くことによって、前記端壁に隣接して配置される物品のアクセスが容易であり、前記端壁の保持部が、切り取り可能部を取り除いた後に形成され、前記残りの部分のうちの１つが、最下列の物品が前記カートンから不慮に出てくるのを防止するために、底部パネルから上方へ延伸し、前記保持部のもう一方は、最上列に配置されている物品が前記カートンから不慮に出てくるのを防止するために、頂部パネルに形成されているカートンを提供する。
【０００７】
好ましくは、物品取り出し手段は、端壁および隣接する側壁の部分から形成される少なくとも２つの切り取り可能部を含み、前記端壁が、取り除くことが容易である前記切り取り可能部を並置した開口を含む。
【０００８】
好ましくは、各切り取り可能部は、端壁パネルに設けられる開口で開始および終了する単一の脆弱線により形成される。
【０００９】
好ましくは、前記保持部のもう一方は、物品を意図的に取り出す間、十分に動かすことができる。
【００１０】
好ましくは、前記保持部のもう一方は、物品を意図的に取り出した後、前記端壁と同一平面上に戻ることができる。
【００１１】
好ましくは、前記隣接する側壁の切り取り可能部は、端部の十分に露出させるために成形され、物品は、端壁に隣接して配置されるものの、前記端壁に隣接して配置した前記物品が、切り取り可能部が取り除かれたときに、前記隣接する側壁パネルに形成される開口を経てカートンから偶発的に出てくることを防止する。
【００１２】
好ましくは、カートンは、２列の物品および２つの切り取り可能部を含む。
【００１３】
本発明の第二態様は、略管状のカートンを形成し、前記カートンが、整列して配置される物品を含むブランクであって、底部パネルと、頂部パネルと、側壁パネルとを含み、組み立てたカートンの各端部を少なくとも部分的に閉じるために各端壁を形成する端パネルを含む端壁を形成する一連の端パネルを含み、端壁の切り取り可能部と隣接する側壁を含む物品取り出し手段を更に含み、前記切り取り可能部を取り除くことによって、前記端壁に隣接して配置される物品のアクセスが容易であり、前記端壁の保持部が、切り取り可能部を取り除いた後に形成され、前記残りの部分のうちの１つが、最下列の物品が前記カートンから不慮に出てくるのを防止するために、底部パネルから上方へ延伸し、前記保持部のもう一方は、最上列に配置されている物品が前記カートンから不慮に出てくるのを防止するために、頂部パネルに形成されているブランクを提供する。
【００１４】
好ましくは、物品取り出し手段は、端壁および隣接する側壁の部分から形成される少なくとも２つの切り取り可能部を含み、前記端壁が、取り除くことが容易である前記切り取り可能部を並置した開口を含む。
【００１５】
更に、前記切り取り可能部は、前記端壁に設けられる開口で開始および終了する単一の脆弱線により形成される。
【００１６】
対応する特徴は、図の同一符号により示される。
【００１７】
本発明は、添付の図面を参照して例証する。
【発明を実施するための最良の形態】
【００１８】
図１から図７は、本発明の実施形態を例示する。図１は、図２から図７のカートンが組み立てられるブランク１を示す。ブランク１は、図１に示すように、垂直方向に細長くなっており、ボール紙で形成されている。しかし、ブランク１は、プラスチックシートなどの他の折り曲げ可能な材料で形成されてもよい。ブランク１は、２列に配置された飲料用の瓶などの同一形状の物品を包装するように設計されている。物品は、２列を超えて配置できる缶または他の円筒状の物体であることを想定している。
【００１９】
図１を参照すると、ブランク１は、カートンの壁を形成する４つの主パネルである上部壁パネル２、第１の側壁パネル３、底部壁パネル４、および第２の側壁パネル５を有する。主パネルは、折り線１２、１３、１４に沿って折り曲げ可能に順次連結されている。接着用フラップ２１は、折り線３１に沿って折り曲げ可能に上部壁パネル２に連結されている。参照符号２２、２２ａ、２３、２３ａ、２４、２４ａ、２５、２５ａは、折り線３２、３２ａ、３３、３３ａ、３４、３４ａ、３５、３５ａによって、主パネル２、３、４、５の端部にそれぞれヒンジ式に連結された端部フラップを示している。
【００２０】
ブランク１から組み立ったカートンを形成するために、側壁パネル３を平らに置き、上部壁パネル２を折り線１２に沿って折り曲げる。接着用フラップ２１に接着剤を塗布し、次いで、底部壁パネル４を平らに置き、第２の側壁パネル５を折り線１４に沿って折り曲げる。このようにして、第２の側壁パネル５を接着用フラップ２１に接着する。次いで、接着用フラップ２１を折り線３１に沿って内側に折り曲げ、底部壁パネル４を折り線１３に沿って内側に折り曲げて、端部が開いた管状カートンを形成する。
【００２１】
取り出し用カートンに詰め込む場合、カートンをその第２の側壁５を下面にて置き、第１の側壁３が上部壁とし、上部壁パネル２および底部壁パネル４をカートン５０の側面にしてカートンを回転させ、缶の円形端部が第１の側部パネル３および第２の側部パネル５と当接するように、カートン５０の開口端から物品を２列に並べて入れる。カートンの開口端の一方または両方から瓶を詰め込んだ後は、カートンの前端および後端を閉じるために、端部フラップ２２、２２ａ、２３、２３ａ、２４、２４ａ、２５、２５ａ、２６、２６ａ、２７、２７ａを折り曲げる。次いで、端部フラップを折り曲げて接着し、カートンを閉じる前端壁および後端壁を形成する。
【００２２】
カートンの後端を閉じるために、最初に折り線３３で端部フラップ２３を第２の側部パネル５に向かって折り曲げる。端部フラップ２３を折り曲げると、隣接するウェブもしくは補強用端部フラップ２４、２７、２２、２６は、自動的にカートン端部の内側に折り曲げられる。次いで、折り線３５で端部フラップ２５を上方に折り曲げる。次いで、接着または他の固定手段を使用して端部フラップ２３、２５を互いに固定して、後端壁を形成する。端部フラップ２３、２５はそれぞれ、２つの端部フラップを互いに固定したときに端壁に開口が形成されるような形状とされる。他の実施形態では、複合後部壁の構造は異なっていてもよく、例えば、補強用パネル２６、２７が必要でない場合があり、後部壁の端部フラップ２３、２５は、形状が異なる開口または寸法が小さい開口を形成するような形状とするか、あるいは、開口を後部壁に形成しない場合もある。
【００２３】
同様の折り曲げ、接着、閉鎖作業がカートンの前端部でも行われる。端部フラップ２３ａを第２の側部パネル５に向かって下方に折り曲ると、補強パネル２６ａ、２７ａが内側に折れ曲がり、端部フラップ２２ａ、２４ａもカートン端部の内側に折れ曲がる。次いで、接着剤または他の接着手段を使用して、端部フラップ２３ａ、２５ａを互いに固定すると、端部フラップ２５ａが端部フラップ２３ａと部分的に重なる関係となり、２つのパネルはともに、開口４０を備えた複合端壁を形成する。他の実施形態では、開口４０を、図に示したものと異なる形状および寸法にできる。組み立てて閉じたカートン５０を図２に示す。
【００２４】
取り出し用カートンとして使用する場合、底部壁４をカートンの底面とし、上部壁２をカートン５０の上面とするように対向させる。このため、図３から図７では、瓶Ｂは、２段または２列で横倒しに示されている。
【００２５】
図３から図７の組み立てたカートン５０では、カートンの前端部分に一体的に形成した２つの部分からなる取り出し機能部を示している。２つの部分からなる取り出し機能部は、カートンに収容された物品の取り出しを抑制可能とするために使用される。取り出し機能部は、単一のミシン目もしくは脆弱連結部６、７によって形成された２つの切り取り可能部１０、１１を有する。各脆弱連結部６、７は、開口４０で開始および終了し、この開口４０は、切り取り可能部１０、１１と並置されている。各取り外し可能部分を取り除くと、カートン５０内の最も端にある瓶を取り出すのが容易になる一方、前端壁の残りの部分は、残りの物品がカートンから不慮に取り出されるのを実質的に防止する。
【００２６】
取り出し機能部は、端部フラップ２３ａ、２５ａおよび側壁３、４内に一体的に形成されている。カートン５０から瓶Ｂを取り出すことができる開口４０は、２つの脆弱線６、７と、端部フラップ２３ａ、２５ａの間に形成された穴または開口によって形成される。図２および図３に示すように、第１の脆弱線６は、端部フラップ２３ａと第２の側壁５の（図３に示す）取り外し可能領域１０を形成し、この取り外し可能領域１０は、カートン内の物品を取り出すために取り除くことができる。同様に、第２の脆弱線７は、端部フラップ２５ａと第２の側壁３の隣接する部分から形成された（図３に示す）取り外し可能領域１１を形成し、この取り外し可能領域１１は、ボール紙５０内に収容された瓶Ｂを取り出すために取り除くことができる。端部フラップ２３ａ、２５ａの間に備わっている穴もしくは開口４０に消費者が指を挿入することによって、消費者が上記２つの取り外し可能な領域１０、１１を取り除くことが補助される。このようにして、利用者は、切り取り可能部１０、１１の内側面に指を当てることによって、脆弱連結部６、７を破るために十分な力で取り外し可能部分を取り扱うことができる。
【００２７】
図４に示すように、取り外し可能領域１０、１１を取り除くと、カートン５０内に収容された最端部の瓶Ｂが部分的に露出する。取り外し可能な領域１０、１１を除去した後には、ウェブもしくは補強パネル２７ａに重なる、端部フラップ２３ａ、２５ａ、２４ａ、２７ａの一部からなる前端閉じ部の下側部分９が、カートン５０の残りの部分と一体的に残り、最下列に収容された瓶を保持する手段を形成する。
【００２８】
取り出し機能部の残りの第２の部分は、端部フラップ２３ａ、２５ａの上側部分で形成された保持部８である。保持部８は、カートン５０に収容された最上部の瓶Ｂを十分に保持して、この瓶がカートン５０から不慮に取り出されるのを防止する。その一方で、保持部８は、図５に示すように、カートンから物品を意図的に取り出すことができるように十分に動かすことができる。
【００２９】
最上段の物品を取り出した後、保持部８は通常の位置に戻るので、８の各前面は再び保持部９と同一平面となる。このように、制約しながら最上段から瓶を容易に取り出すことができ、内容物がカートン５０から不慮に出てくるのを防止する。図６は、前の段落で説明したように、最端部で最も上にある物品を取り出した後、保持部９の上に物品を持ち上げ、可動する保持部８を通り越して物品を引き寄せて、最下位端にある物品を取り出すことができることを示している。
【００３０】
当然のことながら、本発明の範囲から逸脱することなく、様々な変更を行うことができ、例えば、パネルの寸法および形状は、異なる寸法および形状の物品を収容するために調整できる。２つ以上の切り取り可能部を設けることができ、切り取り可能部と端壁内の開口はともに、本明細書に記載したものに合わせて選択的に形状を決めることができる。本発明の範囲内で他の変形形態をとることもできる。例えば、頂部パネルに取っ手を設けることができ、説明した取り出し機能部をカートンの一端または両端に設けることができる。
【００３１】
本明細書において「上」「底」「前」「後ろ」「端」「側」「内」「外」「上方」「下方」などの方向指示は、各パネルをそのような方向に限定するものではなく、単にこれらパネルを互いに区別する働きをするにすぎない。ヒンジ式連結についての言及を、必ずしも単一の折り線のみを指すものとして解釈すべきではなく、実際には、ヒンジ式連結は、本発明の範囲から逸脱することなく、次に挙げる分割線、脆弱線、または折り線のうちの１つまたは複数から形成できる。
【図面の簡単な説明】
【００３２】
【図１】本発明の第１実施形態によるカートンブランクの平面図である。
【図２】図１のブランクから組み立てられるカートンの前壁、側壁および上壁の斜視図である。
【図３】第１の取り出し機能部を取り除いている図２のカートンの前壁、側壁および上壁の斜視図である。
【図４】取り出し機能の完全に取り除いた図３のカートンを示す。
【図５】最上列の物品を取り出す間、最上列の物品が出てくるのを防いでいる図４のカートンを示す。
【図６】最上列から物品が完全に取り出された後に最上列の物品が出てこないように戻されている図５のカートンを示す
【図７】最上列の全ての物品が取り除かれている図６のカートンを示す。
【符号の説明】
【００３３】
１  ブランク
２  上部壁パネル
３  第１の側壁パネル
４  底部壁パネル
５  第２の側壁パネル
６  脆弱連結部
７  脆弱連結部
１０  切り取り可能部
１１  切り取り可能部
１２  折り線
１３  折り線
１４  折り線
２１  接着用フラップ
２２  端部フラップ
２２ａ  端部フラップ
２３  端部フラップ
２３ａ  端部フラップ
２４  端部フラップ
２４ａ  端部フラップ
２５  端部フラップ
２５ａ  端部フラップ
２６  補強パネル
２６ａ  補強パネル
２７  補強パネル
２７ａ  補強パネル
３２  折り線
３２ａ  折り線
３３  折り線
３３ａ  折り線
３４  折り線
３４ａ  折り線
３５  折り線
３５ａ  折り線
４０  開口
５０  カートン
Ｂ  最上部の瓶
【図１】
2008534395.tif 000003
【図２】
2008534395.tif 000004
【図３】
2008534395.tif 000005
【図４】
2008534395.tif 000006
【図５】
2008534395.tif 000007
【図６】
2008534395.tif 000008
【図７】
2008534395.tif 000009
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
複数列に配置された複数の物品を収容するカートンであって、
底部パネルと、
頂部パネルと、
一対の側壁パネルを含む略管状の構造を有し、前記物品がカートン内に配置されたとき最下列の物品が前記底部パネルに対してころがり接触する構成であり、少なくとも部分的にカートンの一端を閉塞する端壁と、
前記カートンの一端に形成される物品取り出し手段と、
を含み、
前記物品取り出し手段は、前記端壁の一部および前記側壁パネルの一部から形成される少なくとも２つの切り取り可能部を含み、
前記切り取り可能部をカートンから取り除くことにより前記端壁から複数の保持部が形成されるとともに前記端壁に隣接して配置される物品の取り出しが可能になり、
前記複数の保持部のうちの一方の保持部は、最下列の物品が不慮に前記カートンから抜け出さないよう前記底部パネルから上方へ延在し、
前記複数の保持部のうちの他方の保持部は、最上列の物品が不慮に前記カートンから抜け出さないよう頂部パネルから下方へ延在し、
前記端壁は前記２つの切り取り可能部の取り除きが容易になるよう前記切り取り可能部に対して並置された開口を有するカートン。
【請求項２】
前記切り取り可能部の各々が、前記開口から伸びて前記開口で終止する単一の脆弱線により形成される、請求項１に記載のカートン。
【請求項３】
前記他方の保持部は、物品が意図的に取り出される間、前記端壁と同一平面内にある初期位置から外方へ動かされ、物品が意図的に取り出された後、前記初期位置に戻る、請求項２に記載のカートン。
【請求項４】
前記切り取り可能部が取り除かれたとき、前記端壁に隣接して配置された物品の端部が十分に露出し、なおかつそれら物品が意に反して前記カートンから抜け出さないよう、前記切り取り可能部の形状が設定されている、請求項１から請求項３のいずれか一項に記載のカートン。
【請求項５】
前記カートンが、２列の物品および２つの切り取り可能部を有する、請求項１から請求項４のいずれか一項に記載のカートン。
【請求項６】
複数列に配置された複数の物品を収容する略管状のカートンを形成するためのブランクであって、
前記ブランクは、
底部パネル、頂部パネルおよび一対の側壁パネルを含む一連のメインパネルと、
前記カートンが組み立てられたとき、カートンの両端部を少なくとも部分的に閉じる両端壁を形成する複数の端パネルと、
前記端壁のうち一方の端壁の一部および前記一対の側壁パネルの一部から形成される少なくとも２つの切り取り可能部を持つ物品取り出し手段と、
を有し、
前記カートンが組み立てられたとき、前記切り取り可能部を取り除くことにより前記一方の端壁に隣接して配置される物品の取り出しが容易になり、前記切り取り可能部を取り除くことにより前記一方の端壁から複数の保持部が形成され、前記保持部のうちの一方の保持部は最下列の物品が不慮に前記カートンから抜け出さないよう前記底部パネルから上方へ延在し、前記保持部のうち他方の保持部は最上列の物品が不慮に前記カートンから抜け出さないよう前記頂部パネルから下方へ延在し、前記一方の端壁は前記２つの切り取り可能部の取り除きが容易になるよう前記切り取り可能部に対して並置された開口を有するブランク。
【請求項７】
前記切り取り可能部は、前記開口から伸びて前記開口で終止する単一の脆弱線により形成される、請求項６に記載のブランク。
【国際調査報告】
2008534395.tif 000010
2008534395.tif 000011